(57)【特許請求の範囲】
【請求項１】
外部ケーブルに接続された端子台と当該端子台に接続された既存の電子部品とが装置筐体内に収容された電子装置において、当該装置筐体に設けられた収容開口から前記既存の電子部品を取り外し、
保持孔が設けられた部品取付けパネルを用意し、当該部品取付けパネルによって前記収容開口を塞ぐように、当該部品取付けパネルを前記装置筐体に固定した状態とし、
前記装置筐体に固定された前記部品取付けパネルの前記保持孔に、新設の電子部品を嵌合させて当該部品取付けパネルに前記新設の電子部品を固定し、
前記部品取付けパネルに固定された前記新設の電子部品と前記端子台とを接続する
電子装置の更新方法。
【請求項２】
前記部品取付けパネルには、前記新設の電子部品を相互に接続する配線と共に、当該新設の電子部品と前記端子台とを接続するための配線が固定されている
請求項１記載の電子装置の更新方法。
【請求項３】
前記新設の電子部品と前記端子台とを、前記配線を介して接続する
請求項２に記載の電子装置の更新方法。
【請求項４】
前記各配線は、前記新設の電子部品および前記端子台との接続が自在な接続端子を両端に有する
請求項２または３に記載の電子装置の更新方法。
【請求項５】
前記配線は、前記接続端子の少なくとも一方を、前記保持孔に近接させた状態で前記部品取付けパネルに固定されている
請求項４に記載の電子装置の更新方法。
【発明の詳細な説明】
【技術分野】
【０００１】
本発明は、電子装置の更新方法に関する。
【背景技術】
【０００２】
変電所のような電力系統の電気所内に設置される保護継電装置や監視制御装置等の電子装置について、下記特許文献１には「ディジタル保護継電装置の製品単位は、保護継電器盤であり、盤として組み立てられた状態で出荷し、現地で据付を行うことが多いが、改造、補修の場面では演算部のみを取り外し、据えつけることになる。特に近年では演算部を基板構成し、１つの保護継電ユニットとすることが多いので、動作試験方法としても、盤単位ではなく、保護継電ユニット単位に適したものとすることが望ましい。」と記載されている。
【先行技術文献】
【特許文献】
【０００３】
【特許文献１】特開２０１２−８０６００号公報
【発明の概要】
【発明が解決しようとする課題】
【０００４】
以上のような電子装置において、装置筐体内に収容された複数の電子部品を最新のディジタル電子部品に交換するレトロフィット型の装置更新を施す場合、交換した新設ディジタル電子部品間の配線や高圧母線に対する配線を行う現場作業は、非常に手間が掛かる作業であった。
【０００５】
そこで本発明は、現場でのディジタル電子部品の交換取付け作業を簡便に実施することが可能な電子装置の更新方法および電子装置を提供することを目的とする。
【課題を解決するための手段】
【０００６】
上記課題を解決するために、例えば特許請求の範囲に記載の構成を採用する。
本願は上記課題を解決する手段を複数含んでいるが、その一例を挙げるならば、外部ケーブルに接続された端子台と当該端子台に接続された既存の電子部品とが装置筐体内に収容された電子装置において、当該装置筐体に設けられた収容開口から前記既存の電子部品を取り外し、保持孔が設けられた部品取付けパネルを用意し、当該保持孔に新設の電子部品を嵌合させた前記部品取付けパネルによって前記収容開口を塞ぐように、当該部品取付けパネルを前記装置筐体に固定した状態とし、前記部品取付けパネルに固定された新設の電子部品と前記端子台とを接続する電子装置の更新方法である。またこの更新方法によって得られる電子装置である。
【発明の効果】
【０００７】
本発明によれば、レトロフィット型の装置更新に際し、現場での電子部品の交換取付け作業を簡便に実施することが可能なとなる。上記した以外の課題、構成、および効果は、以下の実施形態の説明により明らかにされる。
【図面の簡単な説明】
【０００８】
【図１】実施形態の電子装置の更新方法を示すフローチャートである。
【図２】実施形態の電子装置の更新方法を説明する図（その１）である。
【図３】実施形態の電子装置の更新方法を説明する図（その２）である。
【図４】実施形態の電子装置の更新方法を説明する図（その３）である。
【図５】部品取付けパネルの構成を説明する図である。
【図６】実施形態の電子装置の更新方法を説明する図（その４）であり、更新された電子装置の構成を説明する図である。
【発明を実施するための形態】
【０００９】
以下、本発明の電子装置の更新方法およびこの更新方法によって得られる電子装置の実施の形態を、図面に基づいてこの順に詳細に説明する。
【００１０】
≪電子装置の更新方法≫
図１は、実施形態の電子装置の更新方法を説明するフローチャートであり、図２〜図６は、実施形態の電子装置の更新方法を説明する図である。これらの図を用いて説明する電子装置の更新方法は、変電所のような電力系統の電気所内に設置される保護継電装置や監視制御装置等の電子装置を、電気所内の現場において最新設備に更新するためのレトロフィット型の装置更新方法である。以下においては、先ず、装置更新の対象となる既存の電子装置の構成を説明し、次いで図１のフローチャートの手順にしたがって、図２〜図６を参照しつつ、レトロフィット型を採用した実施形態の電子装置の更新方法を説明する。
【００１１】
＜既存の電子装置＞
図２に示す電子装置２００は、レトロフィット型の装置更新の対象となる既存の電子装置２００である。この電子装置２００は、装置筐体１００と、装置筐体１００の内部に収容された電子部品２００ａ〜２００ｆを備えている。以降に説明する実施形態のレトロフィット型の装置更新では、装置筐体１００を残して、これらの既存の電子部品２００ａ〜２００ｆを、最新のディジタル電子部品に交換する。装置更新後にも利用される装置筐体１００の構成は次のとおりである。
【００１２】
＜装置筐体１００＞
装置筐体１００は、電子部品２００ａ〜２００ｆを収容するものであって、図３に示すように、一主面側に電子部品２００ａ〜２００ｆを配置して収容するための収容開口１００ａが設けられている。さらにここでの図示は省略したが、この装置筐体１００には、収容開口１００ａと対向する位置に、作業用の開口が設けられていることとする。また装置筐体１００には、端子台１０１が収容されており、この端子台１０１に接続された外部ケーブル１０３が装置筐体１００の外部に延設されている。
【００１３】
収容開口１００ａは、装置筐体１００の主要面に設けられており、装置筐体１００内に収容する電子部品２００ａ〜２００ｆを並べて配置できる程度の大きさを有している。収容開口１００ａの周囲には、複数のビス穴１０５が設けられている。これらのビス穴１０５は、電子部品２００ａ〜２００ｆを装置筐体１００に対して固定するためのものである。一例としてビス穴１０５は、収容開口１００ａの周囲に等間隔で設けられている。
【００１４】
尚、装置筐体１００には、収容開口１００とは逆側に作業用の開口が設けられていることとしたが、作業用の開口を設けずに、収容開口１００ａを囲む枠体部分をヒンジで固定して開閉自在な扉状とすることで、収容開口１００ａに対して裏側からからの作業が可能としてもよい。
【００１５】
また端子台１０１は、装置筐体１００に収容された電子部品２００ａ〜２００ｆから延設された配線が接続される複数の端子が設けられたものであり、例えば収容開口１００ａの下部において、装置筐体１００の内部に取り付けられている。外部ケーブル１０３は、この端子台１０１に接続され、装置筐体１００の外部に引き出されて電力系統に接続されている。
【００１６】
以上のような構成の既存の電子装置２００のレトロフィット型の装置更新の手順は、図１のフローチャートに示す通り、次の手順で実施する。
【００１７】
＜ステップＳ１＞
先ずステップＳ１では、装置更新の対象となる上述した電子装置２００の装置筐体１００から、既存の電子部品２００ａ〜２００ｆの取り外しを行なう。図２に示すように、電子装置２００は、装置筐体１００の内部に複数の電子部品２００ａ〜２００ｆを収容して構成されており、先ず、電子部品２００ａ〜２００ｆと端子台１０１との接続を解除した後、装置筐体１００から複数の電子部品２００ａ〜２００ｆを取り外す。
【００１８】
これにより図３に示すように、装置筐体１００の収容開口１００ａ内を空にし、収容開口１００ａを一連の大きさに開口させる。尚、装置筐体１００の収容開口１００ａには、装置筐体１００に対して各電子部品を個別に固定するための保持筐体が残される場合がある。この場合、これらの保持筐体も、装置筐体１００から取り外すことにより、収容開口１００ａを一連の開口とする。
【００１９】
この状態において、装置筐体１００に取り付けられた端子台１０１と、この端子台１０１から外部に延設される外部ケーブル１０３とは、そのまま装置筐体１００に残す。またこの状態では、装置筐体１００の収容開口１００ａの周囲に、取り外した電子部品２００ａ〜２００ｆや、これらを保持するための保持筐体を装置筐体１００に固定するために設けられた複数のビス穴１０５が、例えば等間隔で残される。
【００２０】
＜ステップＳ２＞
次にステップＳ２では、図４に示すように、電子部品を取り外した装置筐体１００に対して、部品取付けパネル１０の取付けを行なう。
【００２１】
この部品取付けパネル１０は、図５に示すように、装置筐体１００の収容開口１００ａを塞ぐ程度の大きさを有する板状のものである。このような部品取付けパネル１０には、新設のディジタル電子部品２０ａ〜２０ｅが嵌め込まれる保持孔１０ａ〜１０ｅが設けられ、一主面側に複数の配線１１が固定されている。また、部品取付けパネル１０には、その周縁部分に複数のビス穴１５が設けられている。
【００２２】
保持孔１０ａ〜１０ｅは、装置の更新に用いられるディジタル電子部品２０ａ〜２０ｅのそれぞれが、個別に嵌め込まれて保持されるそれぞれの大きさ、および形状を有している。
【００２３】
配線１１は、部品取付けパネル１０において装置筐体１００側に向かう面に固定されている。これらの配線１１は、両端にディジタル電子部品２０ａ〜２０ｅおよび端子台１０１に対して接続が自在な接続端子１１ａが設けられたもので、ここでは図示されない少なくとも一方の接続端子１１ａが、保持孔１０ａ〜１０ｅに近接して配置されている。
【００２４】
このような配線１１は、両端に接続端子１１ａを設けたことにより、保持孔１０ａ〜１０ｅに保持されるディジタル電子部品２０ａ〜２０ｅ間を接続すると共に、新設のディジタル電子部品２０ａ〜２０ｅと装置筐体１００の端子台１０１とを接続することができる。また接続端子１１ａを保持孔１０ａ〜１０ｅに近接して配置したことにより、配線１１を用いた新設のディジタル電子部品２０ａ〜２０ｅ相互の接続、およびディジタル電子部品２０ａ〜２０ｅと端子台１０１との接続関係が明確になり、誤配線を防止することができる。
【００２５】
ビス穴１５は、部品取付けパネル１０で装置筐体１００の収容開口１００ａを塞いだ状態で、収容開口１００ａの周囲に等間隔で設けられた複数のビス穴１０５のうちの幾つかに対応する必要な位置に設けられている。このようなビス穴１５は、一例として部品取付けパネル１０の四隅付近に４箇所設けられていることとする。
【００２６】
尚、以上のような部品取付けパネル１０は、装置更新を実施する電気所内の現場に運び込まれる前に、予め、保持孔１０ａ〜１０ｅおよびビス穴１５が形成されているだけではなく、次に取り付けられる新設のディジタルデバイスに合わせて配線１１が固定された状態で準備されていることとする。
【００２７】
図４に戻り、以上のような部品取付けパネル１０を、配線１１が固定された面を装置筐体１００側に向け、装置筐体１００の収容開口１００ａを塞ぐと共に、複数の保持孔１０ａ〜１０ｅの全てを収容開口１００ａに臨ませるように配置する。この状態で、装置筐体１００に設けられたビス穴１０５対して、先に説明した部品取付けパネル１０のビス穴１５を対応させ、ビス１７を用いて部品取付けパネル１０を装置筐体１００に対して固定する。
【００２８】
尚、この状態においては、部品取付けパネル１０の配線１１を、装置筐体１００の端子台１０１に設けた端子に接続する必要はない。
【００２９】
＜ステップＳ３＞
次いでステップＳ３では、新設のディジタル電子部品を部品取付けパネル１０に取り付ける。ここでは図６に示すように、装置筐体１００に取り付けられた部品取付けパネル１０の各保持孔１０ａ〜１０ｅに対して、装置筐体１００の外側から新設のディジタル電子部品２０ａ〜２０ｅをはめ込み、各保持孔１０ａ〜１０ｅにディジタル電子部品２０ａ〜２０ｅを保持させる。
【００３０】
この状態で、各ディジタル電子部品２０ａ〜２０ｅを、部品取付けパネル１０に対して固定する。この場合、例えばビス２１を用いたビス止めにより、各ディジタル電子部品２０ａ〜２０ｅを部品取付けパネル１０に固定する。
【００３１】
このように、先ず部品取付パネル１０を装置筐体１００に固定した後、部品取付パネル１０に対して新設のディジタル電子部品２０ａ〜２０ｅを固定する手順とすることにより、電気所内の現場において、より軽量な単体物を取り扱う作業のみによるディジタル電子部品２０ａ〜２０ｅの固定が実施される。
【００３２】
＜ステップＳ４＞
次にステップＳ４では、部品取付けパネル１０の保持孔１０ａ〜１０ｅに嵌合させた各ディジタル電子部品２０ａ〜２０ｅを、配線１１を介して相互に接続する。また、装置筐体１００の端子台１０１と各ディジタル電子部品２０ａ〜２０ｅとを、配線１１を介して接続させる。
【００３３】
この際、装置筐体１００に設けた作業用の開口からの作業により、または部品取付けパネル１０が設けられた収容開口１００ａの枠体部分の扉状を開くことにおり、部品取付けパネル１０に対して各ディジタル電子部品２０ａ〜２０ｅをはめ込んだ側とは逆側からの作業により、上述した配線１１を介しての接続作業を実施する。
【００３４】
以上により、既存の装置筐体１００に対して最新のディジタル電子部品２０ａ〜２０ｄを組み込んで更新された電子装置１が得られる。
【００３５】
≪電子装置１≫
以上のようにして更新された電子装置１は、図６に示したように、収容開口１００ａが設けられた装置筐体１００を有している。この装置筐体１００には、収容開口１００ａを塞ぐ状態で、部品取付けパネル１０が固定されている。部品取付けパネル１０は、収容開口１００ａに臨む複数の保持孔１０ａ〜１０ｅを有し、ディジタル電子部品２０ａ〜２０ｄが、保持孔１０ａ〜１０ｅに嵌合された状態で、部品取付けパネル１０に固定されている。
【００３６】
装置筐体１００には、外部ケーブル１０３に接続された端子台１０１が収容されており、各ディジタル電子部品２０ａ〜２０ｄは、部品取付けパネル１０に固定された配線１１を介して、相互に接続されると共に、端子台１０１に接続された状態となっている。ここで、配線１１は、部品取付けパネル１０において装置筐体１００側に向かう面に固定されたものであり、両端に接続端子１１ａを備えている。接続端子１１ａは、ディジタル電子部品２０ａ〜２０ｅおよび端子台１０１との接続が自在なものである。そして配線１１の両端のうちの、少なくとも一方の接続端子１１ａが、保持孔１０ａ〜１０ｅに近接させた状態で部品取付けパネル１０に固定されている。
【００３７】
≪実施形態の効果≫
以上説明した実施形態によれば、レトロフィット型の装置更新を行うに際し、ディジタル電子部品２０ａ〜２０ｅが保持される保持孔１０ａ〜１０ｅが予め設けられた部品取付けパネル１０を介して、装置筐体１００にディジタル電子部品２０ａ〜２０ｅを取付ける構成であるため、装置筐体１００に対するディジタル電子部品２０ａ〜２０ｅの取付けが容易であり、取付け現場においての作業を簡略化することができる。
【００３８】
特に、予め配線１１が固定された部品取付けパネル１０を用いてることにより、ディジタル電子部品２０ａ〜２０ｅ相互の接続や端子台１０１との接続において、現場においての作業の容易性が向上するだけではなく、作業員による配線ミスなどのヒューマンエラーを減少させることができる。
【００３９】
しかも、部品取付けパネル１０は、既存の装置筐体１００に合わせて加工すればよいため、どのような装置筐体に対しても適用可能な汎用性の高い方法である。
【００４０】
以上説明した実施形態においては、ステップＳ２において部品取付けパネル１０を装置筐体１００に固定した後、ステップＳ３において部品取付けパネル１０の保持孔１０ａ〜１０ｅに対して新設のディジタル電子部品２０ａ〜２０ｅを保持させる手順とした。しかしながら、この手順を逆とし、予め保持孔１０ａ〜１０ｅに対してディジタル電子部品２０ａ〜２０ｅを保持させ、その後この部品取付けパネル１０を装置筐体１００に固定する手順であってもよい。この場合ディジタル電子部品２０ａ〜２０ｅ相互の接続は、部品取付けパネル１０を装置筐体１００に固定する前に実施しておくことが好ましい。このような手順によれば、電気所内の現場において、より手数の少ない作業のみにより、部品取付けパネル１０を介してのディジタル電子部品２０ａ〜２０ｅの固定が実施される。また、ステップＳ３において、部品取付けパネル１０の保持孔１０ａ〜１０ｅに対して新設のディジタル電子部品２０ａ〜２０ｅを保持させると同時に、新設のディジタル電子部品２０ａ〜２０ｅと配線１１の接続端子１１ａとが、接続される構成であってもよい。この場合には、電気所内の現場においての作業がさらに簡素化される。
【００４１】
さらに本発明は、上記した実施形態および変形例に限定されるものではなく、さらに様々な変形例が含まれる。例えば、上記した実施形態は本発明をわかりやすく説明するために詳細に説明したものであり、必ずしも説明した全ての構成を備えるものに限定されるものではない。また、各実施形態の構成の一部について、他の構成の追加・削除・置換をすることが可能である。
【符号の説明】
【００４２】
１…更新された電子装置
１０…部品取付けパネル
１０ａ〜１０ｅ…保持孔
１１…配線
１１ａ…接続端子
２０ａ〜２０ｅ…ディジタル電子部品（新設の電子部品）
１００…装置筐体
１００ａ…収容開口
１０１…端子台
１０３…外部ケーブル
２００…既存の電子装置
２００ａ〜２００ｆ…既存の電子部品
【図１】
0006502875.tif 000002
【図２】
0006502875.tif 000003
【図３】
0006502875.tif 000004
【図４】
0006502875.tif 000005
【図５】
0006502875.tif 000006
【図６】
0006502875.tif 000007